(57)【要約】      （修正有）【課題】演奏者が譜面台上の楽譜を見ることができ、かつ演奏者からはピアノ鍵盤を見ることが出来ない状態でピアノを演奏しうる状態を作り、ピアノ演奏におけるブラインドタッチを習得することができるピアノ鍵盤遮蔽用ブラインドを提供する。【解決手段】ピアノの鍵盤を視界から覆うための遮蔽部１と遮蔽部に設けられるとともに、ピアノ鍵盤の鍵盤蓋と遮蔽部とを係止するための係止部２とで構成したことを特徴とする。【選択図】図６
0003183385.tif 000002
【実用新案登録請求の範囲】
【請求項１】
ピアノの鍵盤を視界から覆うための遮蔽部と、遮蔽部に設けられるとともに、ピアノ鍵盤の鍵盤蓋と遮蔽部とを係止するための係止部とで構成したことを特徴とするピアノ鍵盤遮蔽用ブラインド。
【請求項２】
ピアノの鍵盤を視界から覆うための遮蔽部と、遮蔽部に設けられるとともに、ピアノ鍵盤の鍵盤蓋の内側に付属する譜面台と遮蔽部とを係止するための係止部とで構成したことを特徴とするピアノ鍵盤遮蔽用ブラインド。
【請求項３】
遮蔽部は中空構造ポリエチレン板、発泡スチロール板、バルサ材などの木材、アルミ板、鉄板などの金属板、紙、布スクリーンのいずれかで作成され、係止部には滑り止めを設けるとともに、遮蔽部の角度を変えられるように可動可能に構成したことを特徴とする請求項１及び請求項２に記載のピアノ鍵盤遮蔽用ブラインド。
【考案の詳細な説明】
【技術分野】
【０００１】
本考案は、ピアノ演奏でのブラインドタッチの習得のため演奏者の視界からピアノ鍵盤を鍵盤から一定の距離を持って遮蔽して覆うピアノ鍵盤遮蔽用ブラインドに関する。  
【背景技術】
【０００２】
従来のピアノ演奏におけるブラインドタッチの習得は演奏者がアイマスクを装着して演奏したり演奏者の手に布をかけて鍵盤を見えないようにすることで実現しようとしていた。
【０００３】
しかしながら、従来のアイマスクの装着によって鍵盤を見えないようにする方法では演奏者が楽譜を見て練習をすることが出来ないという欠点があった。また演奏者が布を手に被せて演奏することは布が手に絡みつき演奏が物理的に困難になるという欠点があった。
【先行技術文献】
【非特許文献】
【０００４】
【非特許文献１】「ピアノがうまくなるにはワケがある」角聖子著  音楽之友社刊ｐ５３〜ｐ５７  第5章  耳と指をつなぐブラインドタッチ
【考案の概要】
【考案が解決しようとする課題】
【０００５】
本考案は、以上のような従来の欠点に鑑み、ピアノの演奏者が楽譜を見ることができながらピアノ鍵盤を演奏者から見えないように遮蔽し、かつ演奏者の手に物理的な負担を与えないでピアノ鍵盤を遮蔽するピアノ鍵盤遮蔽用ブラインドを提供する事を目的としている。
【課題を解決するための手段】
【０００６】
上記目的を達成するために、請求項１の考案では、ピアノの鍵盤を視界から覆うための遮蔽部と、遮蔽部に設けられるとともに、ピアノ鍵盤の鍵盤蓋と遮蔽部とを係止するための係止部とで構成したことを特徴とする。
【０００７】
請求項２の考案では、ピアノの鍵盤を視界から覆うための遮蔽部と、遮蔽部に設けられるとともに、ピアノ鍵盤の鍵盤蓋の内側に付属する譜面台と遮蔽部とを係止するための係止部とで構成したことを特徴とする。
【０００８】
請求項３の考案は、請求項１及び請求項２に記載の構成において、遮蔽部は中空構造ポリエチレン板、発泡スチロール板、バルサ材などの木材、アルミ板、鉄板などの金属板、紙、布スクリーンのいずれかで作成され、係止部には滑り止めを設けるとともに、遮蔽部の角度を変えられるように可動可能に構成したことを特徴とする。
【考案の効果】
【０００９】
以上の説明から明らかなように、本考案にあっては次に列挙する効果が得られる。
本考案によって演奏者からは楽譜は見えるのに鍵盤が見えない状態を作り出すことができる。ピアノ鍵盤を見ずに演奏を出来る技術を習得することにより音楽的な演奏を達成できる。
（１）本考案では、グランドピアノにもアップライトピアノにも、グランドピアノのような形状をした鍵盤蓋と独立している外付譜面台をもつアップライトピアノにも係止することが出来る。そして本考案装置は鍵盤と本考案装置の遮蔽部との間に適切な距離を持つので演奏者の手の動きを阻害しない適正な高さを得ることできる。 したがって、すべてのピアノで演奏者は楽譜を見ながら演奏者の視界からピアノ鍵盤を遮蔽する状態となって演奏が可能なピアノの鍵盤を覆うブラインドができる。これにより演奏者は耳から入る自分の出した音と、指の感覚、手の感覚腕の感覚などを頼りに演奏することにならざるを得ない。このことがピアノ演奏におけるブラインドタッチの習得に役立つことになる。  
【図面の簡単な説明】
【００１０】
【図１】考案の斜視図
【図２】考案の側面図
【図３】考案のグランドピアノにおける使用状態の説明図、
【図４】考案のアップライトピアノにおける使用状態の説明図
【図５】考案の外付け譜面台をもったアップライトピアノにおける使用状態の説明図
【図６】考案の利用状態を示す説明図
【図７】考案の利用状態を示す説明図
【図８】考案の利用状態を示す説明図
【考案を実施するための形態】
【００１１】
以下、本考案の実施の形態を図に基づいて説明する。
【実施例１】
【００１２】
図１は、本考案装置の実施例１の斜視図であって、遮蔽部１と係止部２とが係止されている状態である。  
【００１３】
図２は、本考案装置の実施例１の断面図であって遮蔽部１と係止部２は、係止部２が角度調整の可動域をもっていて角度を調整できる。これにより演奏者の体格に合わせて演奏者の視界からピアノの鍵盤を遮蔽することが可能となる。
【００１４】
図３はグランドピアノに係止し使用する状態の説明図である。板状部１は係止部２によってグランドピアノの鍵盤蓋に係止される。
【００１５】
図４はアップライトピアノに係止し使用する状態の説明図である。板状部１は係止部２によってアップライトピアノの鍵盤蓋の内側にある譜面台に係止される。
【００１６】
図５は鍵盤蓋から独立した外付譜面台をもつアップライトピアノの鍵盤蓋に、係止し使用する状態の説明図である。遮蔽部１は係止部２によってアップライトピアノの鍵盤蓋に係止される。
【００１７】
図６は演奏者がグランドピアノに本考案装置を係止し使用する状態の説明図である。
遮蔽部１は係止部２によってグランドピアノの鍵盤蓋に係止される。演奏者からは譜面台上の楽譜は見えるが鍵盤は遮蔽部によって遮蔽され見ることができない。演奏者は譜面台にある楽譜を見ることはできるが、係止部２によってピアノの鍵盤蓋に係止されている遮蔽部１により鍵盤を遮蔽されるので演奏している自分の手を見ることができない。これにより演奏者は耳から入る自分の出した音と、指の感覚、手の感覚腕の感覚などを頼りに演奏することにならざるを得ない。このことがピアノ演奏におけるブラインドタッチの習得に役立つことになる。
【００１８】
図７は演奏者がアップライトピアノに本考案装置を係止し使用する状態の説明図である。遮蔽部１は係止部２によってアップライトピアノの鍵盤蓋の内側にある譜面台に係止される。演奏者からは譜面台上の楽譜は見えるが鍵盤は遮蔽部によって遮蔽され見ることができない。演奏者は譜面台にある楽譜を見ることはできるが、係止部２によってピアノの鍵盤蓋の内側にある譜面台に係止されている遮蔽部１により鍵盤を遮蔽されるので演奏している自分の手を見ることができない。これにより演奏者は耳から入る自分の出した音と、指の感覚、手の感覚腕の感覚などを頼りに演奏することにならざるを得ない。このことがピアノ演奏におけるブラインドタッチの習得に役立つことになる。  
【００１９】
図８は演奏者が、鍵盤蓋から独立した外付譜面台をもつアップライトピアノの鍵盤蓋に、本考案装置を係止し使用する状態の説明図である。演奏者からは譜面台上の楽譜は見えるが鍵盤は遮蔽部によって遮蔽され見ることができない。演奏者は譜面台にある楽譜を見ることはできるが、係止部２によってピアノの鍵盤蓋に係止されている遮蔽部１により鍵盤を遮蔽されるので演奏している自分の手を見ることができない。これにより演奏者は耳から入る自分の出した音と、指の感覚、手の感覚腕の感覚などを頼りに演奏することにならざるを得ない。このことがピアノ演奏におけるブラインドタッチの習得に役立つことになる。
【産業上の利用可能性】
【００２０】
本考案は、ピアノの鍵盤を遮蔽することにより、ブラインドタッチを教育するピアノ教室等で用いる補助具として利用される。  
【符号の説明】
【００２１】
１  遮蔽部
２  係止部
【図１】
0003183385.tif 000003
【図２】
0003183385.tif 000004
【図３】
0003183385.tif 000005
【図４】
0003183385.tif 000006
【図５】
0003183385.tif 000007
【図６】
0003183385.tif 000008
【図７】
0003183385.tif 000009
【図８】
0003183385.tif 000010